(57)【要約】【課題】  低コストで製造可能で、廃棄の際にも環境への負荷が小さい、使い捨てのスリッパと、その製造方法を提供すること。【解決手段】  片側のみにライナーを有する段ボール紙５ａ、５ｂを、三角形と長方形を接合した、互いに線対称の五角形の形状に切断し、ライナー面を貼り合わせて、スリッパの底部１とする。この底部１に、紙製で、内部補強糸３を配置した甲部２を接合してスリッパとする。甲部２は、中央部の重ね継ぎ構造とすることで、甲部２の幅及び高さを調整可能とすることもできる。【選択図】図１
2010029617.tif 000002
【特許請求の範囲】
【請求項１】
波形加工を施された中芯の片側にライナーを貼り付けた段ボール紙のからなる底部と、紙製の甲部を有するスリッパであって、前記底部は、長方形及び前記長方形の長辺と同じ長さの底辺を有する三角形の、前記長方形の長辺と前記三角形の底辺を接合した五角形の形状に切断してなり、互いに線対称の形状の２枚の段ボール紙のライナー側を貼り合わせてなることを特徴とするスリッパ。
【請求項２】
前記甲部は、前記底部の長さ方向と垂直の方向に設けられた補強糸を有することを特徴とする、請求項１に記載のスリッパ
【請求項３】
前記甲部は、前記底部と平行方向に切断線を有する重ね継ぎ構造を有し、前記甲部の幅が調整可能であることを特徴とする、請求項１または請求項２に記載のスリッパ。
【請求項４】
前記甲部の幅方向の両端は、２枚の前記段ボール紙の間に挟まれた状態で接着されてなることを特徴とする、請求項１ないし請求項３のいずれかに記載のスリッパ。
【請求項５】
前記三角形は二等辺三角形であることを特徴とする、請求項１ないし請求項４のいずれかに記載のスリッパ。
【請求項６】
波形加工を施された中芯の片側にライナーを貼り付けた段ボール紙に、直線とジグザグの切断線を交互に設けることにより、長方形と三角形を接合した形状の五角形を長方形の短辺部分で接合した形状の帯状体を作製し、前記帯状体を形成する長方形の短辺に相当する部分を切断することにより、底部を構成する段ボール紙素材を得る工程を有することを特徴とする、請求項１ないし請求項５に記載のスリッパの製造方法。
【発明の詳細な説明】
【技術分野】
【０００１】  本発明は、底部に段ボールシートを用いた、使い捨てのスリッパとその製造方法に関わるものである。
【背景技術】
【０００２】  スリッパは室内履として家庭や職場で用いられている。また、ホテルなどの宿泊施設においても、宿泊者用の室内履として、各部屋に常備されている。家庭などのように、各使用者毎に専用のスリッパが決まっている場合は、特に問題にならないが、宿泊施設などのように、不特定多数の利用者が、同じものを使い回す場合は、衛生の問題から消毒などの維持作業が必要となる。【０００３】  このような作業を省き、宿泊者が抵抗なく使用できるように、使い捨てのスリッパが提案されている。例えば特許文献１には、紙と布を用いた使い捨てスリッパが開示されている。また、特許文献２には、紙またはプラスチックシートを用いたスリッパが開示されている。【０００４】  しかしながら、特許文献１に開示されているスリッパは部品点数や製造工程が、通常のスリッパと殆ど変わりなく、コスト高となり、実用的な価値は必ずしも高くないと考えられる。また、特許文献２に開示されているスリッパは、素材としてプラスチックを用いているため、廃棄する際に、環境への負荷が大きいという問題がある。【０００５】
【特許文献１】  特開平１１−１６４７０２号公報
【特許文献２】  特開２００４−２５５１３７号公報
【発明の開示】
【発明が解決しようとする課題】
【０００６】  従って、本発明の課題は、低コストで製造可能で、廃棄の際にも環境への負荷が小さい、使い捨てのスリッパと、その製造方法を提供することにある。
【課題を解決するための手段】
【０００７】  本発明は、前記課題解決のため、スリッパの構造と、構成部品の調製方法を検討した結果なされたものである。【０００８】  即ち、本発明は、波形加工を施された中芯の片側にライナーを貼り付けた段ボール紙のからなる底部と、紙製の甲部を有するスリッパであって、前記底部は、長方形及び前記長方形の長辺と同じ長さの底辺を有する三角形の、前記長方形の長辺と前記三角形の底辺を接合した五角形の形状に切断してなり、互いに線対称の形状の２枚の段ボール紙のライナー側を貼り合わせてなることを特徴とするスリッパである。【０００９】  また、本発明は、前記甲部が、前記底部の長さ方向と垂直の方向に設けられた補強糸を有することを特徴とする、前記のスリッパである。【００１０】  また、本発明は。前記甲部が、前記底部と平行方向に切断線を有する重ね継ぎ構造を有し、前記甲部の幅が調整可能であることを特徴とする、前記のスリッパである。【００１１】  また、本発明は、前記甲部の幅方向の両端が、２枚の前記段ボール紙の間に挟まれた状態で接着されてなることを特徴とする、前記のスリッパである。【００１２】  また、本発明は、前記三角形が二等辺三角形であることを特徴とする、前記のスリッパである。【００１３】  また、本発明は、波形加工を施された中芯の片側にライナーを貼り付けた段ボール紙に、直線とジグザグの切断線を交互に設けることにより、長方形と三角形を接合した形状の五角形を、長方形の短辺部分で接合した形状の帯状体を作製し、前記帯状体を形成する長方形の短辺に相当する部分を切断することにより、底部を構成する段ボール紙素材を得る工程を有することを特徴とする、前記のスリッパの製造方法である。
【発明の効果】
【００１４】  本発明のスリッパは、基本的に段ボール紙を貼り合わせた底部と、補強材としての糸を有する紙製の甲部のみからなる簡単な構造が特徴であり、部品点数が少ないので、低コストで得ることができる。しかも底部の段ボール紙や甲部の紙自体をリサイクル材により調達可能で、使用後はさらにリサイクル材として使用できるので、環境への負荷が極めて少ないという特長がある。【００１５】  また、底部の特徴的な形状と、それに起因するダンボール紙の取り回しにより、段ボール紙の切断の際に、屑が実質的に発生しないという利点も、環境への負荷低減へ寄与する。【００１６】  また、甲部に用いる紙は比較的低強度であり、歩行に伴う変形に追随できず、簡単に破損してしまうが、強度向上のために紙の厚さを増加すると、使用感が著しく低下するので、これに対処するために、本発明のスリッパにおいては、甲の部分に長さ方向とは垂直方向に、補強材として糸を配置する。この糸も環境への負荷を考慮すると、天然の素材が望ましく、木綿などを用いることができる。【００１７】  また、甲部のほぼ中央部に、底部の長さ方向と平行な方向の切断線を有する重ね継ぎの構造を導入すると、利用者の足の甲の幅や高さに合わせて、甲部の幅及び高さを調整できるので、利便性が向上する。なお、重ね継ぎの部分の接合には、フックやマジックテープ（登録商標）を用いることができる。
【発明を実施するための最良の形態】
【００１８】  次に、図を参照して、本発明の実施の形態について説明する。図１は、本発明に係るスリッパの一例を示す図で、図１（ａ）は平面図、図１（ｂ）は側面図、図１（ｃ）は底面図である。図１において、１は底部、２は甲部、３は補強糸、４は印刷表示。５ａ、５ｂは段ボール紙、６は貼り合わせ面である。【００１９】  図２は、段ボール紙の原反から、本実施の形態のスリッパ底部を作製するための、素材を切り出す状態を示す図である。図２において、７は段ボール紙原反、実線で示した８ａ，８ｂ，８ｃは切断線、破線で示した９は折線である。図３は、段ボール紙原反を切断して得られる、スリッパ底部作製用の素材を示す図である。図３において、１０は素材、１１は波形加工を施した中芯、１２はライナーである。【００２０】  本実施の形態においては、図２に示したように、段ボール紙原反７を直線の切断線８ａ、８ｃ及びジグザグの切断線８ｂに従って切断し、スリッパ底部の素材１０を切り出す。スリッパの底部１の形状を、長方形と二等辺三角形を組み合わせた形状としておくことにより、ジグザグ側の切断線８ｂが隣接する素材と共通になるので、切断屑がまったく発生しないことになる。【００２１】  図２に示したように、段ボール紙原反７を切断すると、図３に示したスリッパ底部１の素材１０が得られる。本発明では、中芯１１の片側にだけライナー１２を貼り付けた段ボール紙を用いるので、中芯１１の側が山になるように折り曲げ加工を施すのは容易である。【００２２】  素材１０に折り曲げ加工を施す際に、ライナー１２側に接着剤を塗布することにより、スリッパの底部１が得られる。接着剤には、やはり環境への負荷を考慮して、天然の素材を用いることが望ましい。具体的にはデンプン系の糊、膠などが挙げられる。【００２３】  そして、ライナー１２側を貼り付けることにより、図１（ｂ）に示したように、中芯１１の波形加工が足裏と床面に対向するので、床面に対しては滑り止め効果を奏し、足裏に対しては、マッサージ効果を奏するので、スリッパの有用性が向上する。また、補強糸３の取り付けは、甲部２を構成する紙の、図１における左端の部分を折り返し、その中に補強糸３を配置して、折り返し面を接着すればよい。【００２４】  なお、印刷表示４には、スリッパを提供する宿泊施設名を用いてもよいが、スポンサーを募り、その宣伝に供することもできる。以上に説明したように、本発明によれば、段ボール紙を素材とした、使い捨てのスリッパを低価格で提供することができる。【００２５】  図４は、甲部の幅方向の両端を、２枚の前記段ボール紙の間に挟んだ状態で接着した構造のスリッパの例を示す図で、図４（ａ）は側面図、図４（ｂ）は底面図である。図４において、１３は甲部、１４は補強糸、１５ａ、１５ｂは段ボール紙、１６は貼り合わせ面、１７は底部である。この図に示したように、甲部１３の両端の底部への接合の部位を、底部１７の貼り合わせ面１６に設定することで、接合の強度を向上することができる。【００２６】  図５は、甲部のほぼ中央部に、底部の長さ方向と平行な方向の切断線を有する重ね継ぎの構造を導入したスリッパの例を示す図で、図５（ａ）は平面図、図５（ｂ）は正面図である。図５において、１８は重ね継ぎ部、１９ａ、１９ｂは接合面である。図５に示した例においては、接合部１９ａ、１９ｂにマジックテープを用いていて、甲部をこのような構造にすることにより、一定範囲内で、甲部の幅と高さの調整が可能となる。【００２７】  図６は、段ボール紙の原反から、本発明のスリッパ底部を作製するための、素材を切り出す状態の他の例を示す図である。また、図７は図６のように切り出した、底部の素材を示す図で図７（ａ）は平面図、図７（ｂ）は側面図である。図６において、２０ａ、２０ｂは切断線、２１は折り線である。また、図７において、２２は素材、２３は中芯、２４はライナーである。【００２８】  図６に示した例では、底部となる素材２２の形状が長方形と三角形の組み合わせであり、かつ、前記三角形の部分が二等辺三角形ではないので、段ボール紙の原反の切断屑が極力生じないようにするために、このような切断方法となる。また、ライナー２４の面の貼り合わせを折り曲げて行うに際しては、折り線２１が中芯の波形と垂直方向となるので、図３に示した例に比較すると、作業性が低下する。従って貼り合わせの前に、折り線２１の部分を切断するのが望ましい。【００２９】  以上に説明したように、本発明によれば、紙製の使い捨てスリッパを、低価格で提供することが可能になる。なお、本発明は、上記実施の形態に限定されるものではなく、本発明の分野における通常の知識を有する者であれば想到し得る、各種変形、修正を含み、本発明の要旨を逸脱しない範囲の設計変更があっても、本発明に含まれることは勿論である。
【図面の簡単な説明】
【００３０】
【図１】  本発明に係るスリッパの一例を示す図、図１（ａ）は平面図、図１（ｂ）は側面図、図１（ｃ）は底面図。
【図２】  段ボール紙の原反から、本発明のスリッパ底部を作製するための、素材を切り出す状態を示す図。
【図３】  段ボール紙原反を切断して得られる、スリッパ底部作製用の素材を示す図。
【図４】  甲部の幅方向の両端を、２枚の前記段ボール紙の間に挟んだ状態で接着した構造のスリッパの例を示す図、図４（ａ）は側面図、図４（ｂ）は底面図。
【図５】  甲部のほぼ中央部に底部の長さ方向と平行な方向の切断線を有する重ね継ぎの構造を導入したスリッパの例を示す図、図５（ａ）は平面図、図５（ｂ）は正面図。
【図６】  段ボール紙の原反から、本発明のスリッパ底部を作製するための、素材を切り出す状態の他の例を示す図。
【図７】  底部の素材を示す図、図７（ａ）は平面図、図７（ｂ）は側面図。
【符号の説明】
【００３１】１，１７                          底部
２，１３                          甲部
３，１４                          補強糸
４                                印刷表示
５ａ，５ｂ，１５ａ，１５ｂ        段ボール紙
６，１６                          貼り合わせ面
７                                段ボール紙原反
８ａ，８ｂ，８ｃ，２０ａ，２０ｂ  切断線
９，２１                          折線
１０，２２                        素材
１１，２３                        中芯
１２，２４                        ライナー
１８                              重ね継ぎ部
１９ａ、１９ｂ                    接合面
【図１】
2010029617.tif 000003
【図２】
2010029617.tif 000004
【図３】
2010029617.tif 000005
【図４】
2010029617.tif 000006
【図５】
2010029617.tif 000007
【図６】
2010029617.tif 000008
【図７】
2010029617.tif 000009